(57)【要約】【課題】  降雪地帯の冬季における道路の路肩部や中央分離帯に樹立させたスノーポールに、視線誘導旗を容易に取り付けられるようにする。【解決手段】柔軟な合成繊維生地であって視覚を刺激する蛍光色であって横長に形成した旗本体１２の表裏両面の対象位置に、光に反射する少なくとも１以上の反射部片１４をそれぞれ取付け、該旗本体の基部１２ａに中間部を縫着したポール巻付用の巻着部１３の両端部に、着脱可能に連結する連結部片１５、１６を設けてある。【選択図】  図１
0003168234.tif 000002
【実用新案登録請求の範囲】
【請求項１】
柔軟な合成繊維生地であって視覚を刺激する蛍光色で横長に形成した旗本体（１２）の表裏両面の対象位置に、光に反射する少なくとも１以上の反射部片（１４）をそれぞれ取付け、該旗本体の基部（１２ａ）に中間部を縫着して連結したポール巻付用の巻着部（１３）の両端部に、着脱可能に連結する連結部片（１５）（１６）をそれぞれ設けてなることを特徴とする視線誘道旗。
【請求項２】
前記旗本体（１２）の周縁部分に、外側からＵ字状に包み込んで連続して縫着して補強部（１８）を設けてなることを特徴とする請求項１記載の旗。 
【請求項３】
前記巻着部（１３）の両側端の一方の表面部および他方の裏面部に設けた連結部片（１５）（１６）が、互いに重ねて接着・剥離可能な面ファスナであることを特徴とする請求項１または２記載の視線誘導旗。
【請求項４】
前記旗本体（１２）の表裏両面の対象位置に取付けた反射部片（１４）は、光に対して再帰性反射する公知の反射テープであり、複数の反射テープを旗本体（１２）の長手方向に並行に取付けてなることを特徴とする請求項１ないし３のいずれか１記載の視線誘導旗。
【請求項５】
前記巻着部（１３）の内面の上下両端または内面全体に、薄膜状のゴム片や起毛材などで形成した保持部（１７）を装着し、スノーポール（１９）に取付けた前記旗本体（１２）の取付位置の移動を防止してなることを特徴とする請求項１ないし４のいずれか１記載の視線誘導旗。
【考案の詳細な説明】
【技術分野】
【０００１】
本考案は、車両用道路、特に、冬季の降雪地帯に位置する高速道路を車両で走行する際に、ドライバーの降雪時等における視認性を高めるため、高速道路の路肩または中央分離帯に目印として設置したスノーポールに取付ける視線誘導旗の改良に関する。
【背景技術】
【０００２】
従来、道路に設置する旗には多種多様のものがあり、例えば、交通安全用の表面に絵、図案、「交通安全」などの文字を表示して方形に形成した旗の一側及び上部をそれぞれ支持部材に連結するための係止部材に反射材をつけたのぼり旗状のものがある（例えば、特許文献１、参照）。さらに、ポリエステル・塩化ビニール等の硬質合成樹脂材からなる蛍光生地に適宜文字などを表示した交通標識用の旗を形成し、該旗に再帰性反射材を用いた昼夜兼用標識旗などもある（例えば、特許文献２、参照）。
【０００３】
特に、東北地方などの降雪地帯は、冬季において道路上に積もった雪または除雪した雪で道路の路肩部が隠れてしまうことが多い。そのため、走行車両のドライバーが運転中に路肩部や中央分離帯の位置を判別できなくなるのを防ぐため、路肩部や中央分離帯に、必要に応じて複数のスノーポールを樹立して安全走行を図っている。しかしながら、降雪量が多いときや地吹雪のとき、さらに夜間などには、車両を運転するドライバーにとって路肩や中央分離帯に樹立したスノーポールの有無を判別しにくく、車両を安全に走行することが極めて困難である。
【０００４】
スノーポールは、道路の中央分離帯や路肩の位置を示すために樹立しているが、ポール自体は動かないので降雪時には運転中のドライバーから確認しにくいという欠点があった。そのため、スノーポールにＬＥＤランプを取り付けた装置もある。しかし、吹雪などにより該ランプの表面に多量の雪が付着したりすると、運転中のドライバーから該ランプを有したスノーポールの位置を確認することが困難であった。  
【０００５】
他方、スノーポールに取り付ける視線誘導は、表面及び裏面にそれぞれ蛍光面を有した合成樹脂製の柔軟生地で形成した旗本体は、風によってはためいて動くため、走行車両のヘッドライトからの光に照らされると目立つ機能を有している（例えば、特許文献３、参照）。しかし、該旗本体の後部に設けたポール挿通用の筒状の挿通部の一端を閉鎖して形成してあるため、該旗本体を前記スノーポールに取り付けるには、該ポールの端部から挿通しなければ取り付けることができなかった。そのため、スノーポールの中間部分に旗本体を装着することができないし、該ポールの上端から下方に移動させることができなかった。
【先行技術文献】
【特許文献】
【０００６】
【特許文献１】登録実用新案第３０１９５２３号公報
【特許文献２】特開平１１−２７９９６１号公報
【特許文献３】登録実用新案第３１３２４１８号公報
【考案の概要】
【考案が解決しようとする課題】
【０００７】
かかる従来の課題を解決するために、本考案は、ポールに取り付けるために旗本体の後部に設けた巻着部を分離できるよう着脱可能に形成し、ポールの端部から挿入することなく、該ポールの中間部から着脱可能に取付けられるようにすることにより、前記旗本体のポールへの取付け作業を簡単かつ容易にすると共に、旗本体の取付け位置を簡単に変更できるようにすることを目的とするものである。
【課題を解決するための手段】
【０００８】
上記課題を解決するために、本考案は、柔軟な合成繊維生地であって視覚を刺激する蛍光色で横長に形成した旗本体１２の表裏両面の対象位置に、光に反射する少なくとも１以上の反射部片１４をそれぞれ取付け、該旗本体の基部１２ａに中間部を縫着して連結したポール巻付用の巻着部１３の両端部に、着脱可能に連結する連結部片１５、１６をそれぞれ設けてなることを特徴とする。また、前記旗本体１２の周縁部分に、外側からＵ字状に包み込んで連続して補強部１８を設けてなることを特徴とする。さらに、前記巻着部１３の両側端の一方の表面部および他方の裏面部に設けた連結部片１５、１６が、互いに重ねて接着・剥離可能な面ファスナであることを特徴とする。さらにまた、前記旗本体１２の表裏両面の対象位置に取付けた反射部片１４は、光に対して再帰性反射する公知の反射テープであり、複数の該反射テープを旗本体１２の長手方向に並行に取付けてなることを特徴とする。さらに、前記巻着部１３の内面の上下両端部または内面全体に、薄膜状のゴム片や起毛材などで形成した保持部１７を装着して、スノーポール１９に取付けた前記旗本体１２の取付位置の移動を防止してなることを特徴とするものである。
【０００９】
したがって、旗本体１２を蛍光イエローや蛍光オレンジなどの蛍光色にしたことにより、昼間でも目立つため運転中のドライバーの視覚を刺激してスノーポールを視認することができ、また、夜間は旗本体１２の表裏両面に設けた反射部片１４がヘッドライトの光に当たって反射するため、走行中のドライバーの視覚を刺激して安全走行を誘導することができる。また、旗本体１２を柔軟生地材で形成したことにより、スノーポール１９に取付けて風になびくため旗への積雪を防止することができ、さらに、地吹雪などの中でも車両のヘッドライトからの光に反射部片１４が反射して動いて見えるので、ドライバーの視線をより刺激して安全走行を誘導することができる。また、旗本体１２の巻着部１３に着脱可能な連結部片１５、１６を設けたことにより、スノーポール１９の任意位置に巻装するだけの簡単な作業で取付けることができる。該ポールの端部から挿通させることなく中間部から巻回して取り付けることもできるため取付け作業が容易である。そのため、多数のスノーポールに旗本体をそれぞれ取付ける場合の取付け作業の効率化を図ることができる。
【図面の簡単な説明】
【００１０】
【図１】視線誘導旗の後部に設けた巻着部を分離させた状態の斜視図である。
【図２】視線誘導旗をスノーポールに装着した状態の説明図である。
【図３】図１のＡ―Ａ線断面図である。
【図４】視線誘導旗の巻着部を開いた内面の展開図である。
【図５】視線誘導旗の巻着部をポールに巻装して取付ける状態を示す平面図である。
【図６】旗本体の周縁部分に補強部を設けた状態の一部省略した平面図である。
【図７】止金具の平面図である。
【図８】道路の路肩に樹立させたポールに視線誘導旗を取付けた状態の説明図である。
【考案を実施するための形態】
【００１１】
本考案の実施形態を実施形態の図面に基づいて説明すると、図１は視線誘導旗の後部に設けた巻着部を分離させた状態の斜視図、図２は視線誘導旗をスノーポールに装着した状態の説明図、図３は図１のＡ―Ａ線断面図、図４は第２実施例の視線誘導旗の巻着部を開いた内面の展開図、図５は視線誘導旗の巻着部をポールに巻装して取り付ける状態を示す平面図である。視線誘導旗１０は、走行中のドライバーの視覚を刺激して安全走行を誘導する旗本体１２と、該旗本体を冬季における道路の路肩部や中央分離帯に設置したスノーポール１９に取付ける巻着部１３とからなる。
【００１２】
前記旗本体１２は、ポリエステル、ナイロンまたはアクリル繊維材などの柔軟な合成繊維生地からなり、該生地は視覚を刺激するように目立つ蛍光色、例えば、蛍光イエロー、蛍光オレンジなどに染織して形成してある。前記旗本体１２は、前記柔軟生地で形成してあるので風の影響を受けてはためきやすくするため、上下幅より横幅を長く形成した方形や横向き台形などの任意形状に形成してある。さらに旗本体１２の蛍光色は、蛍光塗料、即ち夜光塗料のように蓄光性を具えてあれば夜間でも光って目立たせることができるのは勿論である。
【００１３】
図１、３に示すごとく、旗本体１２の基部１２ａに連結して設けた巻着部１３は、旗本体１２と同一素材のポリエステルやナイロンなどの合成繊維生地で形成してあり、該巻着部の少なくとも中間部１３ａの上下幅は、前記旗本体１２の基部１２ａの上下幅と同一長さに形成してある。巻着部１３の表面側の中間部１３ａにはその垂直方向に、該旗本体１２の基部１２ａを縫着などにより一体に形成してある。
【００１４】
図１、４は、前記巻着部１３を展開した状態の内面を示した平面図であって、一方の表面及び他方の裏面のそれぞれ上下方向に、接離可能な掛止手段をなす連結部片１５、１６を設けてある。この連結部片１５、１６は、スノーポール１９の端部から挿通して取り付けることなく、該ポールの中間部への装着を可能にした。この連結部片は、連結または着脱可能な機能を有する平面ファスナの他に、スライドファスナー、スナップ、ボタンなどでもよいことはもちろんである。
【００１５】
前記旗本体１２の表裏対称位置に装着した少なくとも１以上の反射部片１４は、夜間に車両のライトが当たると入射光を反射させて光源方向にまっすぐ戻す、いわゆる再帰性反射機能を有する公知の反射テープからなり、複数の反射テープを該旗本体１２の表裏両面であって長手方向に並行に配して縫着又は接着などにより取付けてある。
【００１６】
前記反射部片１４は、風の影響を受けて旗本体１２と一体にはためくように、柔軟性を有する素材により形成されており、この反射部片１４は、一定幅を有する帯状だけでなく、旗本体２の表面全体に細幅に形成した３本以上の反射テープで形成した線状模様や、反射テープを四角に形成した市松模様など任意形状に形成したものを取付けることにより、夜間におけるドライバーの視覚をより刺激することができるのは勿論である。
【００１７】
１８は弾力性を有した公知の掛止金具で、略円形状に形成して両端に夫々端部片１８ａ，１８ａを形成してある。そして、ポールに巻き付けて装着した巻着部１５の任意箇所に、端部片１８ａ，１８ａを外方に押し広げた状態で装着すれば、該巻着部１３をポールに確実に固定することができ、強風などでも旗本体がポールから外れて紛失するのを確実に防止することができる利点がある。
【００１８】
図４において、１７は巻着部１３に取付けた保持部で、摩擦抵抗の大きい素材、例えば、薄膜状のゴム材や起毛材などにより形成してあり、該巻着部の内面上下両端に細巾状に、または該巻着部の内面全体に取付けてある。この保持部１７を巻着部１３の内面に取付けて形成することにより、スノーポール１９に旗本体の基部に設けた巻着部１３を巻き付けて視線誘導旗１０を取付けた際、風の影響により視線誘導旗が取付け位置から移動するのを防ぐことができる。
【００１９】
以下、本考案の実施形態の作用について説明すると、視線誘導旗１０は、冬季の降雪地帯における道路の路肩または中央分離帯に任意間隔毎に複数樹立させたスノーポール１９に取付けるもので、図１、５に示すごとく、旗本体１２の基部に連結して設けた巻着部１３の両端を左右に開いて、スノーポール１９の周囲に巻装して取付ける。
【００２０】
視線誘導旗１０のスノーポールへの取り付けは、図１に示すように、旗本体１０の後端に設けたスノーポール取付用の巻着部１３の両端を左右に開き、該巻着部１３の左右両端の一端表面および他端裏面に夫々取り付けた連結部片１５、１６を開いて、スノーポール１９の周囲に巻き回す簡単な操作で連結できる。前記連結部片１５、１６が、面ファスナで形成されている場合には、連結部片１５，１６の互いの接着面を重ね合わせて押圧するだけのワンタッチで装着できるので作業効率を向上させることができる。
【００２１】
巻着部１３の両端に設ける連結部片１５、１６は、例えば、平面ファスナが好ましく、該巻着部の両端部分を上下に重合させて着脱可能に連結する構成であり、接離部分の幅は、ある程度位置を調整できる幅に重合させてあるので、スノーポールの口径が少し位相違しても、そのままこの旗本体１２を取り付けることができる汎用性を有している。
【００２２】
その上、従来のこの種の旗本体は、スノーポールへの取付け部分を円筒状に形成してあり、且つ、一端を閉鎖してあるため、スノーポ−ルに取り付ける場合、スノーポールの端部から挿通して取り付ける必要がある。しかし、本考案の旗本体の巻着部１３は、両端部に着脱可能な機能を有する連結部片１５，１６を設けてあるので、該ポールの端部から挿入させる必要はなく、該連結部片を分離して該巻着部を開いた状態にして該ポールに巻き回して圧着させれば、該連結部片１５，１６を着脱可能に取付けることができる。
【００２３】
さらに、前記巻着部１３の内面で上下両端または内面全体に係止部１７を設けることにより、視線誘導旗１０をスノーポール１９に取付けた際、強風や地吹雪でもその取付け位置がズレたりすることなく確実に巻着することができる。
【００２４】
前記視線誘導旗１０のスノーポール１９への取付け位置は、該スノーポールの端部または中間部など任意の位置に取付けることができ、例えば、積雪量の少ない箇所では、ポールの中間部分、積雪量の多い箇所ではポールの上部に取付けることができる。この視線誘導旗１０をポール１９の上端に一律に取付けてあると、積雪量の少ない箇所ではドライバーの視線は進行方向の水平に近く、目線が上方に行かない場合が有り危険である。そこで、道路の積雪量に応じて視線誘導旗１０の取付け位置を変えることにより、常にドライバーの視線に遠方からでも視線誘導旗１０が見えるようできる。また、いったんポールに巻回して取付けた該旗本体１２の取付け位置は、該巻着部１３の連結部片１５，１６を分離させることにより、該取付け位置を簡単に変更することができる利点を有している。
【００２５】
さらにまた、視線誘導旗１０を、風の通りがよい道路上に設置したスノーポール１９に取付けた場合、風の影響を受けて旗本体１２が常にはためいている状態になるため、旗本体１２の周縁部分がほころびやすい。そのため、旗本体１２の周縁部分を外側からＵ字状に包み込んで形成した補強部を連続して縫着して設けることにより、旗本体１２の耐久性を一段と高めることができる。
【符号の説明】
【００２６】
１０      視線誘導旗
１２      旗本体
１２ａ    基部
１３      巻着部
１４      反射部片
１５      連結部片
１６      連結部片
１７      保持部
１８      補強部
１９      スノーポール
２０      止金具
【図１】
0003168234.tif 000003
【図２】
0003168234.tif 000004
【図３】
0003168234.tif 000005
【図４】
0003168234.tif 000006
【図５】
0003168234.tif 000007
【図６】
0003168234.tif 000008
【図７】
0003168234.tif 000009
【図８】
0003168234.tif 000010